(57)【要約】【課題】  放熱効果を向上したＬＥＤランプを提供する。【解決手段】  ランプカップ３の位置決めフランジ３２と導熱板４を結合させる。導熱板４に位置決め凸柱４２を設けることによって、回路板５の位置決め孔５０と結合する。また回路板５に発光ダイオード５１を設置する。ランプカップ３の開口にランプカバー６を設ける。ランプカップ３の外表面に放熱塗料を塗布する。これにより、ＬＥＤのもつ熱を導熱板４、ランプカップ３を通して外部へ放出し、ＬＥＤランプの放熱効果を向上し、ＬＥＤランプの使用寿命を延長する。簡単な構成であるから、低製造コストで放熱効果を向上することができる。【選択図】  図２
2012253005.tif 000002
【特許請求の範囲】
【請求項１】
ランプホルダーに固定可能な外ねじ山（１０）、及び内ねじ山（１１）、を有するランプソケット（１）と、
前記ランプソケットとボルト接合する外ねじ山（２０）、内部にチャンバー（２１）、及びピン止め素子（２４）を有する連結ピン（２）と、
内部に電源モジュール（７）を収容するチャンバー（３５）を有するランプカップ（３）と、
前記ピン止め素子に固定可能な前記ランプカップにその内部に収容し固定する導熱板と、
前記導熱板の上方に設置する回路板（５）と、
前記回路板に設置する発光ダイオード（５１）と、  
前記ランプカップに塗布する放熱塗料と、
前記ランプカップの開口に設けられるランプカバー（６）とを備え、
接着剤で前記ランプカバーと前記ランプカップを一体に接合し、
発熱は前記ランプカップを通して外部に放熱することを特徴とするＬＥＤランプ。
【請求項２】
連結ピンは、ランプカップのチャンバーに上リング柵（２２）を設け、前記上リング柵の中に電源モジュールを設置することを特徴とする請求項１記載のＬＥＤランプ。
【請求項３】
連結ピンのピン止め素子（２４）を連結ピンの延伸リング柵（６０、６１）に設けること、を特徴とする請求項１記載のＬＥＤランプ。
【請求項４】
連結ピンは、リング柵に設けることによって、ランプカップの底部（３１）と結合すること、を特徴とする請求項１記載のＬＥＤランプ。
【請求項５】
ランプカップと連結ピンと結合するとき、ランプカップの内結合リング柵（３０）と連結ピンのピン止め素子（２４）をピン止めで固定してから、更にランプカップの底部によって、ランプソケットを備える連結ピンの外リング柵（２５）の頂部を支えること、を特徴とする請求項１記載のＬＥＤランプ。
【請求項６】
ランプカップとランプソケットを備える連結ピンとの結合は、ランプカップの底部の内側に媒介結合部品（３１ａ）を固定し、前記媒介結合部品は環状であって、かつ複数個の結合リング柵（３０）を形成し、前述した複数個の結合リング柵と連結ピンの延伸リング柵（２３）に設けた複数ピン止め素子（２４）と結合すると、ランプカップをランプソケットを備える連結ピンと一体化することができること、を特徴とする請求項１記載のＬＥＤランプ。
【請求項７】
ランプカップの開口部の周りに複数個の位置決めフランジ（３２）を設置することによって、導熱板（４）の取り付け位置と高さを制限すること、を特徴とする請求項１記載のＬＥＤランプ。
【請求項８】
ランプカップの外表面、内表面、または外表面及び内表面に放熱塗料を塗布することによって、ＬＥＤランプの放熱効率を向上すること、を特徴とする請求項１記載のＬＥＤランプ。
【請求項９】
ランプカップと導熱板（４）との結合は、導熱板をランプカップの開口部から内部へ向かって設置してから、更に導熱板を前述したランプカップの内表面を支えるように設け、またランプカップの位置決めフランジ（３２）を導熱板の側リング柵（４０、４０ａ、４０ｂ）にピン止めすること、を特徴とする請求項１記載のＬＥＤランプ。
【請求項１０】
ランプカップと導熱板との結合は、導熱板の側リング柵の外壁面（４００）をランプカップの内表面の一部の表面を支えるように設け、また導熱板の側リング柵の外壁面によって形成する円弧状と前述したランプカップの内表面（３４）によって形成する一部の円弧状表面は完全結合状態を呈し、また前述したランプカップによって形成するラッパ状開口を利用して、前述した導熱板と前述したランプカップとの結合を安定させ、また取り付け位置を制限すること、を特徴とする請求項９記載のＬＥＤランプ。
【請求項１１】
ランプカップと導熱板との結合は、ランプカップに位置決めフランジを設け、及び導熱板に側リング柵を設け、前述した側リング柵を利用することによって、ランプカップの位置決めフランジと結合し、また前述した側リング柵は前述したランプカップの内表面の頂部を支えることによって、導熱板とランプカップとの結合を固定すること、を特徴とする請求項９記載のＬＥＤランプ。
【請求項１２】
ランプカップと導熱板との結合は、ランプカップの開口端に設置リング柵（３２ａ）を設け、前述した設置リング柵を利用して導熱板の取り付け位置を決め、また導熱板で熱源ランプカップへ導き入れることによって、ランプカップに塗布する放熱塗料によって、熱源を速やかに放出すること、を特徴とする請求項９記載のＬＥＤランプ。
【請求項１３】
ランプカップと導熱板との結合は、上述したランプカップのラッパ口部で直リング柵（３６ａ）を形成し、また直リング柵とランプカップの壁で湾曲槽を形成することによって、導熱板を所定位置に固定し、また導熱板で熱源をランプカップへ導き入れることによって、ランプカップに塗布する放熱塗料によって、熱源を速やかに放出すること、を特徴とする請求項９記載のＬＥＤランプ。
【請求項１４】
導熱板とランプカップとの結合は、導熱板の側リング柵は、導熱板の最外部から上方に向かって湾曲状を形成し、また上方に向かって延伸状を形成することによって、ランプカップの位置決めフランジをピン止めし、導熱板の取り付け位置を制限すること、を特徴とする請求項１記載のＬＥＤランプ。
【請求項１５】
導熱板とランプカップとの結合は、導熱板の側リング柵は導熱板の最外部から下方に向かって湾曲した後、更に上方に向かって湾曲状を形成し、また上方に向かって延伸状を形成することによって、ランプカップの位置決めフランジをピン止めし、導熱板の取り付け位置を制限すること、を特徴とする請求項１記載のＬＥＤランプ。
【請求項１６】
導熱板とランプカップとの結合は、導熱板の側リング柵は導熱板の最外部から下方に向かって湾曲した後、下方に向かって延伸状を形成し、かつ導熱板と夾角Φのピン止め角（４００ｂ）を形成し、前述したピン止め角をランプカップの壁にピン止めして形成した湾曲槽を利用すると、導熱板とランプカップを固定すること、を特徴とする請求項１記載のＬＥＤランプ。
【請求項１７】
導熱板と側リング柵によって形成する夾角Φは、９０度より小さいまたは９０度に等しいこと、を特徴とする請求項１１記載のＬＥＤランプ。
【請求項１８】
ランプカップのリングウォールは、密閉状または放熱孔を設置すること、を特徴とする請求項１記載のＬＥＤランプ。
【請求項１９】
ランプカップのチャンバーに電源モジュール（７）を設置し、更に電源モジュールは連結ピンのチャンバーの上方にあるリング柵の頂部を支えることによって、電源モジュールをランプカップのチャンバーとランプソケットを備える連結ピンのチャンバーの中に固定すること、を特徴とする請求項１記載のＬＥＤランプ。
【請求項２０】
ランプカバーとランプカップとの結合は、ランプカバーに内方に向かって延伸するリング柵（６０）を設け、前述した内方に向かって延伸するリング柵の内側に下方に向かって延伸するリング柵（６１）を設け、前述した内方に向かって延伸するリング柵と下方に向かって延伸するリング柵を接着剤（８）でランプカップの内表面を接着すると、ランプカバーとランプカップを固定すること、を特徴とする請求項１記載のＬＥＤランプ。
【請求項２１】
ランプカバーとランプカップとの結合は、ランプカップのラッパ口部は結合リング柵を形成し、更にランプカバーの下方に向かって延伸するリング柵の外側に鉤合部（６２）を形成し、鉤合部とランプカップの結合リング柵と結合すると、ランプカバーとランプカップを一体にすること、を特徴とする請求項１記載のＬＥＤランプ。
【請求項２２】
ランプカバーとランプカップとの結合は、ランプカップのラッパ口部は直リング柵を形成し、また直リング柵の上内側で結合リング柵を形成し、更にランプカバーの下方に向かって延伸するリング柵の外側に鉤合部を形成し、鉤合部と前述したランプカップの結合リング柵と結合すると、ランプカバーとランプカップとを一体にすること、を特徴とする請求項１記載のＬＥＤランプ。
【請求項２３】
ランプカバーとランプカップとの結合は、ランプカバーの下方に向かって延伸するリング柵に内凹部（６１０）を形成し、強迫的または接合方式で内凹部とランプカップのラッパ口部によって形成する直リング柵の内側で結合または接合すると、ランプカバーとランプカップを一体にすること、を特徴とする請求項１記載のＬＥＤランプ。
【請求項２４】
導熱板と回路板（５）を一体にし、また絶縁材料で導熱板を製造することによって、発光ダイオード（５１）を設置すること、を特徴とする請求項１１記載のＬＥＤランプ。
【発明の詳細な説明】
【技術分野】
【０００１】
本発明はＬＥＤランプに関し、特に、放熱特性を向上したＬＥＤランプに関する。
【背景技術】
【０００２】
従来のＬＥＤランプ、例えば台湾発明特許第Ｍ４０２３８７号（特許文献１）によると、アルミ材で製作した放熱台によって放熱し、また放熱台に通し穴を設け、通し穴に数個の通気道を設け、該通気道は放熱台の一端にある外壁面に連通して通気槽を形成し、放熱台の外壁面に複数枚の放熱用バネを設け、該放熱用バネの間に放熱槽を形成する。
一つの導熱板を放熱台に設け、該導熱板はアルミ材で製作し、該導熱板の一端面に一つの放熱台のフランジを嵌め設ける凹槽を設け、導熱板の内壁に複数個の放熱孔を設け、放熱孔は放熱台の通気道に面し、内壁面に穿通槽を設ける。
従来のＬＥＤランプは主に放熱台と導熱板をＬＥＤランプの放熱素子とし、ただし放熱台と導熱板は、先ずアルミ材を成形した後、更に加工機械で放熱台と導熱板の表面を細部加工してから、放熱台と導熱板に成形する。アルミ材成形の放熱台と導熱板は、速やかに導熱する利点を持っている。
【先行技術文献】
【特許文献】
【０００３】
【特許文献１】台湾発明特許第Ｍ４０２３８７号明細書
【発明の概要】
【発明が解決しようとする課題】
【０００４】
しかしながら、この従来のＬＥＤランプによると、製造工程が複雑で、しかもコストは高いため、ＬＥＤランプの販売価格が高くなり、普及が難しい。
本発明者は、長年関連商品の製造と設計経験により、従来のＬＥＤランプの構造上の欠点を研究し、本発明を完成した。
【０００５】
本発明の目的は、放熱効率を向上するＬＥＤランプを提供することにある。
本発明の他の目的は、一種の簡単な構造を提供し、製造コストを下げ、消費者に認められることによって、節電、グリーン環境保護の節電ＬＥＤランプの使用率を一層向上させ、排出される二酸化炭素を削減するＬＥＤランプを提供することにある。
【課題を解決するための手段】
【０００６】
本発明のＬＥＤランプによると、一種のランプカップの外表面に放熱塗料を塗布する構成を採用する。このため、ＬＥＤのもつ熱をランプカップを通して外部へ放出し、ＬＥＤランプの放熱効果を達成する。これにより、ＬＥＤランプの使用寿命を延長する。簡単な構成であるから、低製造コストで放熱効果を向上することができる。
【図面の簡単な説明】
【０００７】
【図１】本発明の実施例１の斜視図である。
【図２】本発明の実施例１の分解斜視図である。
【図３】本発明の実施例１の部分切欠断面図である。
【図４】本発明の実施例２の部分切欠断面図である。
【図５】本発明の実施例３の断面図である。
【図６】本発明の実施例４の分解視図である。
【図７】本発明の実施例５の断面図である。
【図８】図７のＡ部分の拡大断面図である。
【図９】本発明の実施例６の斜視図である。
【発明を実施するための形態】
【０００８】
以下、本発明の実施例を図面に基づいて説明する。
図１−３に本発明の実施例１を示す。本発明の実施例１によるＬＥＤランプは、少なくとも下記を含む。
ランプソケット１に外ねじ山１０を設け、該ランプソケット１の外ねじ山１０と図示しないランプホルダーをボルト止めする。これにより、通電可能な状態になる。ランプソケット１に内ねじ山１１を設ける。内ねじ山１１は、ランプソケットを備える連結ピン２とボルト止めすることができる。
【０００９】
ランプソケットを備える連結ピン２は、図２に示すように、外ねじ山２０を有する。外ねじ山２０を利用することによって、ランプソケット１の内ねじ山１１をボルト止めする。
ランプソケットを備える連結ピン２は、内部にチャンバー２１を有し、またチャンバー２１に上リング柵２２を設ける。
連結ピン２の内部のチャンバー２１とランプカップ３のチャンバー３５との中に電源モジュール７を設置する。し、連結ピン２に延伸リング柵２３を設け、延伸リング柵２３の上方にまた複数個のピン止め素子２４を設ける。このピン止め素子２４とランプカップ３とをピン止め固定する。また連結ピン２は外リング柵２５を設ける。
【００１０】
ランプカップ３は、図２と３に示すように、ラッパ状に開口し、かつ密閉状のリングウォールであることができる。ランプカップ３に内結合リング柵３０を設け、ランプソケットを備える連結ピン２のピン止め素子２４とランプカップ３の内結合リング柵３０をピン止め固定してから、更にランプカップ３の底部３１によって、ランプソケットを備える連結ピン２の外リング柵２５の頂部を支える。すると、ランプカップ３とランプソケットを備える連結ピン２との結合を安定させることができる。
【００１１】
ランプカップ３とランプソケットを備える連結ピン２の結合方式は、図７の実施例５を参照すると、ランプカップ３の底部３１の内側にまた媒介結合部品３１ａを固定し、媒介結合部品３１ａは環状であり、かつ複数個の結合リング柵３１ａ０を形成し、複数個の結合リング柵３１ａ０とランプソケットを備える連結ピン２の延伸リング柵２３に設けた複数個のピン止め素子２４と結合する。すると、ランプカップ３とランプソケットを備える連結ピン２を一体に固定することができる。
【００１２】
図２と３に示すように、ランプカップ３の開口端に複数個の位置決めフランジ３２（図３、４、６参照）を設け、位置決めフランジ３２に導熱板４を固定する。ランプカップ３の外表面３３、内表面３４、または外・内外表面３３、３４に放熱塗料を塗布する。これにより、ランプカップ３から放熱塗料を通してＬＥＤランプのもつ熱を放出する。ランプカップ３によって不規則状内表面３４を形成し、また一部の円弧状表面３４０を形成する。円弧状表面３４０に導熱板４を設置し、また位置決めする。ランプカップ３にチャンバー３５を設けることによって、ランプカップ３のチャンバー３５に電源モジュール７を設置する。更に電源モジュール７の下方は、ランプソケットを備える連結ピン２のチャンバー２１の上リング柵２２の頂部で支える。すると、電源モジュール７をランプカップ３のチャンバー３５と連結ピン２のチャンバー２１との中に固定することができる。
【００１３】
ランプカップ３と導熱板４の結合方式は、図５の実施例３を参照すると、ランプカップ３の開口端に設置リング柵３２ａを設け、設置リング柵３２ａによって導熱板４の取り付け位置を決めることができる。導熱板４で熱源をランプカップ３へ導き入れ、ランプカップに塗布する放熱塗料により熱源を速やかに放出し、ランプカップ３の放熱効果を向上することによって、ＬＥＤランプの使用寿命を確保することができる。
【００１４】
ランプカップ３と導熱板４の結合方式は、図７と８の実施例５を参照すると、ランプカップ３のラッパ口部は直リング柵３６ａを形成し、また直リング柵３６ａとランプカップ３の壁により湾曲して形成されるおけ状の室３６０ａを形成する。これにより、導熱板４を所定位置に固定する。また導熱板４で熱源をランプカップ３へ導き入れ、ランプカップに塗布する放熱塗料により熱源を速やかに放出し、ランプカップ３の放熱効果を向上することによって、ＬＥＤランプの使用寿命を確保することができる。
【００１５】
図９の実施例６に示すように、ランプカップ３は、またリングウォールに複数個の放熱孔３７を有する。放熱孔３７とランプカップ３に塗布する放熱塗料と相まって、ランプカップ３の放熱効果を向上する。これにより、ＬＥＤランプの使用寿命を確保することができる。
【００１６】
図２と３に示すように、導熱板４をランプカップ３の内部に設け、導熱板４は金属材質で製作され、かつ導熱板４とランプカップ３を結合するとき、導熱板４をランプカップの開口から中に向かって設置する。更に導熱板４の側リング柵４０の外壁面４００によって、ランプカップ３の内表面３４の一部の表面の頂部を支え、主に導熱板４の側リング柵４０の外壁面４００を利用して円弧状を形成させ、かつランプカップによって形成するラッパ状開口を利用し、導熱板４の側リング柵４０の外壁面４００とランプカップ３の内表面３４の円弧状表面３４０を完全結合状態にし、導熱板４とランプカップ３の結合位置が確定される上に、下方に向かって移動することも避けられる。更に導熱板４によって発光ダイオードの高温を十分にランプカップ３へ導き入れ、放熱効果は更に速やかに行われ、しかも有効である。導熱板４の側リング柵４０によりランプカップ３の位置決めフランジ３２をピン止めすることによって、導熱板４とランプカップ３を十分に固定する。導熱板４に槽４１を設け、槽底壁に位置決め凸柱４２を設け、回路板５の位置決め孔５０と結合する。及び導熱板４の槽底壁にボルト止め穴４３を設け、ボルトオンパーツ４３０をボルト止めすると、回路板５と導熱板４を堅固に固定することができる。
【００１７】
導熱板４とランプカップ３の結合方式は、図３の実施例１と図６の実施例４を参照すると、導熱板４の側リング柵４０は、導熱板４の最外部から上方に向かって湾曲し、上方に向かって延伸状を形成し、ランプカップ３の位置決めフランジ３２をピン止めすることによって、取り付け位置を制限することができる。
【００１８】
導熱板４とランプカップ３の結合方式は、図４の実施例２を参照すると、導熱板４の側リング柵４０は、導熱板４の最外部から下方に向かって湾曲した後、再び上方に向かって湾曲状をし、上方に向かって延伸状を形成する。これにより、ランプカップ３の位置決めフランジ３２を取り付け位置にピン止めすると、導熱板４の熱源をランプカップへ導き入れ、速やかに放熱効果を達成することができる。
【００１９】
導熱板４とランプカップ３の結合方式は、図５の実施例３を参照すると、導熱板４に側リング柵４０ａを設けずに、直接ランプカップ３の設置リング柵３２ａを設置することによって、導熱板４の取り付け位置を決めると、導熱板４の熱源をランプカップへ導き入れ、速やかに放熱効果を達成することができる。
【００２０】
導熱板４とランプカップ３の結合方式は、図７と８の実施例５を参照すると、導熱板４の側リング柵４０ｂは、導熱板４の最外部から下方に向かって湾曲した後、下方に向かって延伸状を形成する。導熱板４との夾角Φは９０度より小さく、またニーズによって９０度より大きくなってもよい。ピン止め角４００ｂを形成し、導熱板４の側リング柵４０ｂのピン止め角４００ｂをランプカップ３の壁にピン止めすることによって、湾曲して形成されるおけ状の室３６０ａを形成する。すると、導熱板４とランプカップ３を固定し、また導熱板４の熱源をランプカップへ導き入れ、速やかに放熱効果を達成することができる。
【００２１】
図２及び３の実施例１に示すように、回路板５を導熱板４の上方に設置し、回路板５に発光ダイオード５１を設置することによって、光を放出する。
【００２２】
回路板５と導熱板４の結合方式は、図６の実施例４を参照すると、導熱板と回路板を一体化にすると、一部の素子が省略され、またコストも節約されるが、しかし該導熱板４ａは絶縁材料で製作されることが必要であり、その中に発光ダイオード５１を設置する。
【００２３】
図２及び３に示すように、ランプカバー６をランプカップ３の開口に設け、ランプカバー６に内方に向かって延伸するリング柵６０を設け、内方に向かって延伸するリング柵６０の内側に更に下方に向かって延伸するリング柵６１を設け、内方に向かって延伸するリング柵６０及び下方に向かって延伸するリング柵６１を接着剤８でランプカップ３の開口部の内側と接着すると、ランプカバー６とランプカップ３を固定することができる。
【００２４】
ランプカップ３とランプカバー６の結合方式は、図４の実施例２を参照すると、ランプカップ３のラッパ口部で結合リング柵３６を形成する。ランプカバー６の下方に向かって延伸するリング柵６１の外側で鉤合部６２を形成し、鉤合部６２とランプカップ３の結合リング柵３６を結合し、ランプカバーとランプカップを一体にすることができる。
【００２５】
ランプカップ３とランプカバー６の結合方式は、図５の実施例３を参照すると、ランプカップ３のラッパ口部で直リング柵３６ａを形成し、また直リング柵３６ａの上内側で結合リング柵３６を形成する。ランプカバー６の下方に向かって延伸するリング柵６１の外側で鉤合部６２を形成し、鉤合部６２とランプカップ３の結合リング柵３６を結合させ、ランプカバーとランプカップを一体にすることができる。
【００２６】
ランプカップ３とランプカバー６の結合方式は、図７の実施例５を参照すると、ランプカバー６の下方に向かって延伸するリング柵６１で内凹部６１０を形成し、強迫的または接合方式で内凹部６１０とランプカップ３のラッパ口部によって形成する直リング柵３６ａの内側で結合または接合する。これにより、ランプカバーとランプカップを一体にすることができ、ＬＥＤランプの自動化生産するのに益々便利になる。
【００２７】
上記をまとめると、本発明はランプカップ、ランプカバーと放熱構造を変更させ、膨大なコストが節約される以外に、更にＬＥＤランプのあるべき使用寿命を維持させ、ＬＥＤランプを一層消費者に認めさせ、排出される二酸化炭素を削減し、エネルギー消費量を節約させ、グリーン環境保護の実用価値に適合している。
【符号の説明】
【００２８】
１  ・・・ランプソケット、
１０・・・外ねじ山、
１１・・・内ねじ山、
２  ・・・連結ピン、
２４・・・ピン止め素子、
３  ・・・ランプカップ、
３５・・・チャンバー、
４  ・・・導熱板、
５  ・・・回路板、
５１・・・発光ダイオード、
６  ・・・ランプカバー、
７  ・・・電源モジュール、
８  ・・・接着剤。
【図１】
2012253005.tif 000003
【図２】
2012253005.tif 000004
【図３】
2012253005.tif 000005
【図４】
2012253005.tif 000006
【図５】
2012253005.tif 000007
【図６】
2012253005.tif 000008
【図７】
2012253005.tif 000009
【図８】
2012253005.tif 000010
【図９】
2012253005.tif 000011